(57)【特許請求の範囲】
【請求項１】
記録信号として少なくとも映像信号を記録再生し、その映像信号の記録の際に、前記映像信号をディジタル化して記録用の映像データを生成するように構成されたディジタル映像記録再生装置であって、
映像信号に対する遅延処理における所定の遅延時間を設定する設定手段と、
外部からの映像信号を入力する映像入力手段と、
前記映像入力手段からの映像信号を、前記設定手段からの遅延時間分だけ遅延させる第１の遅延手段と、
前記第１の遅延手段からの映像信号を記録する記録再生手段とを備え、
前記遅延時間は、前記映像信号の垂直帰線期間中に重畳されたデータ長に対応した期間とするディジタル映像記録再生装置。
【請求項２】
記録信号として少なくとも映像信号を記録再生し、その映像信号の記録の際に、前記映像信号をディジタル化して記録用の映像データを生成するように構成されたディジタル映像記録再生装置であって、
映像信号に対する遅延処理における所定の遅延時間と、前記遅延処理の前後における映像信号を切り換える切換タイミングとを設定する設定手段と、
外部からの映像信号を入力する映像入力手段と、
前記映像入力手段からの映像信号を、前記設定手段からの遅延時間分だけ遅延させる第１の遅延手段と、
前記第１の遅延手段における前記遅延処理の前後の映像信号を、前記設定手段からの第１の切換タイミングにより切り換える第１の切換手段と、
前記第１の切換手段からの映像信号を記録する記録再生手段と、
前記記録再生手段からの映像信号を、前記設定手段からの遅延時間分だけ遅延させる第２の遅延手段と、
前記第２の遅延手段における前記遅延処理の前後の映像信号を、前記設定手段からの第２の切換タイミングにより切り換える第２の切換手段と、
前記第２の切換手段からの映像信号を外部へ出力する映像出力手段とを備え、
前記遅延時間は、前記映像信号の垂直帰線期間中に重畳されたデータ長に対応した期間とするディジタル映像記録再生装置。
【請求項３】
記録信号として少なくとも映像信号を記録再生し、その映像信号の記録の際に、前記映像信号をディジタル化して記録用の映像データを生成するように構成されたディジタル映像記録再生装置であって、
映像信号に対する遅延処理における所定の遅延時間と、前記遅延処理の前後における映像信号を切り換える切換タイミングとを設定する設定手段と、
外部からの映像信号を入力する映像入力手段と、
前記映像入力手段からの映像信号を、前記設定手段からの遅延時間分だけ遅延させる第１の遅延手段と、
前記第１の遅延手段における前記遅延処理の前後の映像信号を、前記設定手段からの第１の切換タイミングにより切り換える第１の切換手段と、
前記第１の切換手段からの映像信号を記録する記録再生手段と、
前記記録再生手段からの映像信号を、前記設定手段からの遅延時間分だけ遅延させる第２の遅延手段と、
前記第２の遅延手段における前記遅延処理の前後の映像信号を、前記設定手段からの第２の切換タイミングにより切り換える第２の切換手段と、
前記第２の切換手段からの映像信号を外部へ出力する映像出力手段とを備え、
前記遅延時間は、前記映像信号の垂直帰線期間中に重畳されたデータ長に対応した期間とし、かつ、前記第１の遅延手段による遅延後の映像信号の映像有効領域に対して画像圧縮するとともに、前記第２の遅延手段による遅延後の映像信号の映像有効領域に対して画像伸長することを特徴とするディジタル映像記録再生装置。
【請求項４】
請求項１から請求項３のいずれかに記載のディジタル映像記録再生装置であって、前記映像入力手段が入力する外部からの映像信号は、複数の撮像装置から任意に抜き取った映像信号とし、その垂直帰線期間中に、前記映像信号を入力中の撮像装置に対応するＩＤが重畳されていることを特徴とするディジタル映像記録再生装置。
【発明の詳細な説明】
【０００１】
【発明の属する技術分野】
本発明は、各種の映像信号をディジタル化し、その映像信号に対して記録再生するためのディジタル映像記録再生装置に関するものである。
【０００２】
【従来の技術】
従来から、銀行、デパート、パチンコ店やコンビニエンスストアなどの各種店舗においては、それらの店内をその安全確保などを目的として監視するために、その各所に複数のビデオカメラなどの撮像装置を設置し、それらのビデオカメラをスイッチャを通じて順次切替えて、店内の各所における監視映像及びときには音声をも、その記録媒体として磁気テープを用いたビデオテープレコーダ（以下、ＶＴＲと記す）などの記録装置に、一定時間間隔でタイムラプス記録するように構成された映像監視システムが広く利用されている。
【０００３】
このような映像監視システムにおいては、より多くの監視映像のシーンを記録するなどの理由で、ビデオカメラからの映像信号を、そのフレーム単位ではなくフィールド単位で記録するように構成する場合が多い。
【０００４】
すなわち、上記のような従来の映像監視システムとしては、図３に示すように、スイッチャ３１により、カメラ３２ａ、３２ｂ…３２ｎからなる複数のビデオカメラ３２から出力される各映像信号ａ４、ｂ４…ｎ４を、そのフィールド毎のタイミングにより１フィールド単位で複数のビデオカメラ３２の接続を切り換えて出力する。この映像信号ｃ４を記録するＶＴＲ３３としては、現在アナログ方式のＶＨＳタイプのタイムラプス専用のＶＴＲが使われており、このＶＴＲ３３では、１フィールド毎に１／６０ｓｅｃを必要とするフィールド単位で記録するようにしているため、１秒毎に最大６０枚の映像シーンを記録することができる。
【０００５】
以上のようなフィールド単位での記録における記録間隔について、以下に説明する。
例えば標準モードで２時間記録できるビデオカセットテープ（以下、単にビデオテープと記す）を用いて、６０フィールド／１秒の記録間隔を１フィールド／６１フィールド記録間隔とした場合には、２時間の６１倍である約１２０時間の長時間記録（タイムラプス記録）ができることになる。
【０００６】
次に、カメラの切り替えタイミングとビデオテープ記録状態、及び再生映像について、図４を参照しながら以下に説明する。
スイッチャ３１により、図４（ａ）に示すように、約１秒（６１フィールド毎）にカメラ３２を切り替えて、接続されているカメラ３２からの映像を先述の１フィールド／６１フィールド記録間隔で記録するようにした場合には、図４（ｂ）のビデオテープ記録状態のように、フィールドａ，ｂ，…ｎを順次記録する。
【０００７】
このようにフィールド毎に異なるカメラ映像が記録されているビデオテープを再生すると、図４（ｃ）の映像タイムチャートのようになり、非常に見づらい映像となる。この再生映像を見やすくするため、予め記録の際に複数のカメラを識別するためのカメラ番号に対する各カメラＩＤが、カメラ映像に重畳されてビデオテープに記録されている。そして、再生の際にこのカメラＩＤに従って任意のカメラ映像のみ（ここでは、映像ａ）画像メモリされモニタに出力されるような映像監視システムが導入されてきた。
【０００８】
一方、近年では、映像信号を記録する際に、その映像信号を高品質化記録するため、そのディジタル化の際には、一般に、記録する映像に対して、情報量を削減することにより、映像のディジタル化における所定の記録情報量に対してより多くの映像を記録して記録効率を向上するため、ディジタル化の特徴を生かして圧縮処理をする。その記録装置として、例えば上記のような監視用カメラやテレビ放送などからの映像信号に対してデジタル的に画像圧縮処理を行い、その映像データを用いて記録再生する、例えば、ＤＶやディジタルビデオカセット（以下、ＤＶＣと記す）に記録するＤＶＣＰＲＯ（いずれも、松下電器産業株式会社製）などのディジタル映像記録再生装置がしばしば利用されるようになってきている。
【０００９】
このようなディジタル映像記録再生装置では、画像圧縮処理における圧縮効率の向上等のため、映像信号上の垂直帰線期間（以下、ＶＢＩと略記する）を除いた部分である映像有効ラインの映像信号に対してのみ画像圧縮処理を施し、その映像データのみを映像信号として記録再生が行われている。この画像圧縮処理は、通常フレーム単位で行われている。
【００１０】
【発明が解決しようとする課題】
しかしながら上記のような従来のディジタル映像記録再生装置では、ＶＢＩを除いた映像有効ラインの映像信号に対してのみ画像圧縮処理を施し、その映像データのみを記録再生するように構成されているため、このディジタル映像記録再生装置により映像信号を記録再生しようとした際には、例えば複数の監視用カメラを用いた映像監視システムの場合には、例えば映像切換装置により複数の監視用カメラを切り替えて記録する際や、その記録映像を再生する際に必要なカメラ識別用のデータとして、カメラ番号に対応する各カメラＩＤがＶＢＩに重畳されているような映像信号では、それらのカメラＩＤが記録再生できないという問題点を有していた。
【００１１】
また、地上波テレビ放送のように、ＶＢＩを使ってデータ放送を行っている場合には、その放送データにおける情報が記録再生できないという問題点をも有していた。
【００１２】
本発明は、上記従来の問題点を解決するもので、垂直帰線期間（ＶＢＩ）を除いた映像有効領域に対して画像圧縮処理を行った映像データのみを記録再生する構成でも、映像信号の垂直帰線期間（ＶＢＩ）中に重畳されたデータにおける情報についても、容易に記録再生することができるディジタル映像記録再装置を提供する。
【００１３】
【課題を解決するための手段】
上記の課題を解決するために本発明のディジタル映像記録再生装置は、記録再生装置として、垂直帰線期間を除いた映像有効領域に対して画像圧縮処理を行った映像データのみを記録再生するように構成された記録再生装置を使用する場合に、記録時には垂直帰線期間を、その垂直帰線期間中に重畳されたデータ長に対応した一定期間だけ、映像有効ラインまで遅延させて記録し、再生時には遅延させた一定期間に対応する期間だけ垂直同期パルスを含む垂直帰線期間を遅延させることにより、垂直帰線期間中に重畳されたデータの記録再生を可能とすることを特徴とする。
【００１４】
以上により、垂直帰線期間を除いた映像有効領域に対して画像圧縮処理を行った映像データのみを記録再生する構成でも、映像信号の垂直帰線期間中に重畳されたデータにおける情報についても、容易に記録再生することができる。
【００１５】
【発明の実施の形態】
本発明の請求項１に記載のディジタル映像記録再生装置は、記録信号として少なくとも映像信号を記録再生し、その映像信号の記録の際に、前記映像信号をディジタル化して記録用の映像データを生成するように構成されたディジタル映像記録再生装置であって、映像信号に対する遅延処理における所定の遅延時間を設定する設定手段と、外部からの映像信号を入力する映像入力手段と、前記映像入力手段からの映像信号を、前記設定手段からの遅延時間分だけ遅延させる第１の遅延手段と、前記第１の遅延手段からの映像信号を記録する記録再生手段とを備え、前記遅延時間は、前記映像信号の垂直帰線期間中に重畳されたデータ長に対応した期間とする構成とする。
請求項２に記載のディジタル映像記録再生装置は、記録信号として少なくとも映像信号を記録再生し、その映像信号の記録の際に、前記映像信号をディジタル化して記録用の映像データを生成するように構成されたディジタル映像記録再生装置であって、映像信号に対する遅延処理における所定の遅延時間と、前記遅延処理の前後における映像信号を切り換える切換タイミングとを設定する設定手段と、外部からの映像信号を入力する映像入力手段と、前記映像入力手段からの映像信号を、前記設定手段からの遅延時間分だけ遅延させる第１の遅延手段と、前記第１の遅延手段における前記遅延処理の前後の映像信号を、前記設定手段からの第１の切換タイミングにより切り換える第１の切換手段と、前記第１の切換手段からの映像信号を記録する記録再生手段と、前記記録再生手段からの映像信号を、前記設定手段からの遅延時間分だけ遅延させる第２の遅延手段と、前記第２の遅延手段における前記遅延処理の前後の映像信号を、前記設定手段からの第２の切換タイミングにより切り換える第２の切換手段と、前記第２の切換手段からの映像信号を外部へ出力する映像出力手段とを備え、前記遅延時間は、前記映像信号の垂直帰線期間中に重畳されたデータ長に対応した期間とする構成とする。
請求項３に記載のディジタル映像記録再生装置は、記録信号として少なくとも映像信号を記録再生し、その映像信号の記録の際に、前記映像信号をディジタル化して記録用の映像データを生成するように構成されたディジタル映像記録再生装置であって、映像信号に対する遅延処理における所定の遅延時間と、前記遅延処理の前後における映像信号を切り換える切換タイミングとを設定する設定手段と、外部からの映像信号を入力する映像入力手段と、前記映像入力手段からの映像信号を、前記設定手段からの遅延時間分だけ遅延させる第１の遅延手段と、前記第１の遅延手段における前記遅延処理の前後の映像信号を、前記設定手段からの第１の切換タイミングにより切り換える第１の切換手段と、前記第１の切換手段からの映像信号を記録する記録再生手段と、前記記録再生手段からの映像信号を、前記設定手段からの遅延時間分だけ遅延させる第２の遅延手段と、前記第２の遅延手段における前記遅延処理の前後の映像信号を、前記設定手段からの第２の切換タイミングにより切り換える第２の切換手段と、前記第２の切換手段からの映像信号を外部へ出力する映像出力手段とを備え、前記遅延時間は、前記映像信号の垂直帰線期間中に重畳されたデータ長に対応した期間とし、かつ、前記第１の遅延手段による遅延後の映像信号の映像有効領域に対して画像圧縮するとともに、前記第２の遅延手段による遅延後の映像信号の映像有効領域に対して画像伸長する構成とする。
請求項４に記載のディジタル映像記録再生装置は、請求項１から請求項３のいずれかに記載のディジタル映像記録再生装置であって、前記映像入力手段が入力する外部からの映像信号は、複数の撮像装置から任意に抜き取った映像信号とし、その垂直帰線期間中に、前記映像信号を入力中の撮像装置に対応するＩＤが重畳されている構成とする。
【００１９】
以上の構成によると、記録再生装置として、垂直帰線期間を除いた映像有効領域に対して画像圧縮処理を行った映像データのみを記録再生するように構成された記録再生装置を使用する場合に、記録時には垂直帰線期間を、その垂直帰線期間中に重畳されたデータ長に対応した一定期間だけ、映像有効ラインまで遅延させて記録し、再生時には遅延させた一定期間に対応する期間だけ垂直同期パルスを含む垂直帰線期間を遅延させることにより、垂直帰線期間中に重畳されたデータの記録再生を可能とする。
【００２０】
以下、本発明の実施の形態を示すディジタル映像記録再生装置について、図面を参照しながら具体的に説明する。
図１は本実施の形態のディジタル映像記録再生装置の構成を示すブロック図である。図１において、１は、映像信号に対する遅延処理における所定の遅延時間と、その遅延処理の前後における映像信号を切り換える切換タイミングとを設定する設定手段、２は外部からの映像信号を入力する映像入力手段、３は、映像入力手段２からの映像信号を、設定手段１からの遅延時間分だけ遅延させる第１の遅延手段、４は、第１の遅延手段３における遅延処理の前後の映像信号を、設定手段１からの第１の切換タイミングにより切り換える第１の切換手段、５は第１の切換手段４からの映像信号に対して画像圧縮処理を行い映像データにする圧縮手段、６は圧縮手段５からの映像データを記録する記録再生手段、７は記録再生手段６から再生された映像データに対して画像伸長処理を行い映像信号にする伸長手段、８は、伸長手段７からの映像信号を、設定手段１からの遅延時間分だけ遅延させる第２の遅延手段、９は、第２の遅延手段８における遅延処理の前後の映像信号を、設定手段１からの第２の切換タイミングにより切り換える第２の切換手段、１０は第２の切換手段９からの映像信号を外部へ出力する映像出力手段である。
【００２１】
以上のように構成されたディジタル映像記録再生装置について、その動作を以下に説明する。
図２は本実施の形態のディジタル映像記録再生装置の動作を説明するためのタイムチャート図である。図２（ａ）は記録時の動作を表すタイムチャートであり、図２（ｂ）は再生時の動作を表すタイムチャートである。
【００２２】
ここで説明するディジタル映像記録再生装置としては、従来の映像監視システムのように、店内に設置した複数のビデオカメラをスイッチャを通じて一定時間間隔で順次切替えて店内の安全を監視し、その監視映像をタイムラプス記録するものであり、少なくとも映像信号を記録再生する記録再生装置であって、その映像信号の記録の際に、その映像信号における例えば２フィールド分の映像信号をフレーム単位の映像信号としてディジタル化するとともに、垂直帰線期間（ＶＢＩ）を除いた映像有効領域に対して画像圧縮処理を行って、記録用の映像データを生成し、その映像データのみを用いて記録再生するように構成されたディジタル映像記録再生装置とする。
【００２３】
この場合、店内の複数のビデオカメラをスイッチャで切り替えており、例えば映像切換装置により複数の監視用カメラを切り替えて記録する際や、その記録映像を再生する際に必要なカメラ識別用のデータとして、カメラ番号に対応する各カメラＩＤがＶＢＩに重畳された映像信号となる。この映像信号が、その記録時には、外部からの映像信号として記録側の映像入力手段２に入力される。
【００２４】
まず、設定手段１により、映像信号に対する遅延処理における所定の遅延時間と、その遅延処理の前後における映像信号を切り換える切換タイミングとを設定する。
【００２５】
次に、上記の映像信号の記録時には、図２（ａ）に示すように、映像入力手段２から、入力された映像信号が信号Ａとして出力される。この信号Ａに対して、マスキング波形ａ１により、ＶＢＩ中に重畳されたカメラＩＤなどのデータ長に対応した一定期間（例えば６Ｈ期間分）だけ、信号Ａの映像有効領域における映像信号の先頭部分を捨てる。さらに信号Ａに対して、第１の遅延手段３により、信号ＡのＶＢＩを上記の一定期間（例えば６Ｈ期間分）だけ、映像有効領域内まで遅延させ、信号Ｂを出力する。この遅延時間は、上記の設定手段１により予め設定されている。これら信号Ａおよび信号Ｂ（第１の遅延手段３における遅延処理の前後の映像信号）に対して、第１の切換手段４により、設定手段１により予め設定されている第１の切換タイミングで、信号Ａから信号Ｂに切り換えて、信号Ｃを出力する。この信号Ｃに対して圧縮手段５により画像圧縮処理を行うことにより、圧縮手段５から映像データＤが出力される。この映像データＤでは、信号ＡのカメラＩＤが記録再生手段６の記録可能な記録開始タイミングより後方にある。この映像データＤが記録再生手段６に記録される。
【００２６】
上記の映像信号の再生時には、図２（ｂ）に示すように、記録再生手段６から再生された映像データに対して、伸長手段７により画像伸長処理を行い、映像信号Ｄを出力する。この映像信号Ｄに対して、マスキング波形ｂ１により、一定期間（例えば１５Ｈ期間分）だけ、映像信号Ｄの垂直同期パルスを捨てる。さらに映像信号Ｄに対して、第２の遅延手段８により、図２（ａ）で説明した記録時に遅延させた一定期間（例えば６Ｈ期間分）に対応する期間だけ、ＶＢＩを遅延させ、信号Ｅを出力する。この遅延時間は、上記の設定手段１により予め設定されている。これら信号Ｄおよび信号Ｅ（第２の遅延手段８における遅延処理の前後の映像信号）に対して、第２の切換手段９により、設定手段１により予め設定されている第２の切換タイミングで、信号Ｅから信号Ｄに切り換えて、信号Ｆを出力する。この信号Ｆを、映像出力手段１０を通じて、再生された映像信号として外部へ出力する。
【００２７】
以上により、垂直帰線期間（ＶＢＩ）中に重畳されたデータの記録再生を可能とする。
その結果、垂直帰線期間（ＶＢＩ）を除いた映像有効領域に対して画像圧縮処理を行った映像データのみを記録再生する構成でも、映像信号の垂直帰線期間（ＶＢＩ）中に重畳されたデータにおける情報についても、容易に記録再生することができる。
【００２８】
なお、上記の実施の形態では、映像入力手段２が入力する外部からの映像信号を、タイムラプス記録する映像監視システムに設けられた複数の撮像装置からの映像信号より任意に抜き取ったフィールド単位の映像信号とした場合について説明したが、映像入力手段２が入力する外部からの映像信号を、テレビ放送における映像信号とするように構成した場合にも同様な効果が得られる。ここで、テレビ放送における映像信号とは、例えば地上波テレビ放送のように、ＶＢＩを使ってデータ放送を行っている場合の映像信号や、そのようなデータ放送を行っているテレビ放送が録画されたＶＴＲからの映像信号などが挙げられる。
【００２９】
また、映像入力手段２が入力する外部からの映像信号を、複数の撮像装置から任意に抜き取った映像信号とするように構成した場合にも同様な効果が得られる。この場合の映像信号は、タイムラプス記録する映像監視システムに設けられた複数の撮像装置からの映像信号であることや、その映像信号より任意に抜き取ったフィールド単位の映像信号であることには限定されるものではなく、任意に設けられた複数の撮像装置からの映像信号より、手動的かつ不規則な時間間隔で切り替えて、目的対象となる被写体に対応した撮像装置から任意に選択された映像信号などが挙げられる。
【００３０】
【発明の効果】
以上のように本発明によれば、記録再生装置として、垂直帰線期間を除いた映像有効領域に対して画像圧縮処理を行った映像データのみを記録再生するように構成された記録再生装置を使用する場合に、記録時には垂直帰線期間を、その垂直帰線期間中に重畳されたデータ長に対応した一定期間だけ、映像有効ラインまで遅延させて記録し、再生時には遅延させた一定期間に対応する期間だけ垂直同期パルスを含む垂直帰線期間を遅延させることにより、垂直帰線期間中に重畳されたデータを記録再生することができる。
【００３１】
そのため、垂直帰線期間を除いた映像有効領域に対して画像圧縮処理を行った映像データのみを記録再生する構成でも、映像信号の垂直帰線期間中に重畳されたデータにおける情報についても、容易に記録再生することができる。
【図面の簡単な説明】
【図１】本発明の実施の形態のディジタル映像記録再生装置の構成ブロック図
【図２】同実施の形態のディジタル映像記録再生装置の動作説明図
【図３】従来の映像監視システムの構成を示すブロック図
【図４】同従来例におけるビデオカメラの切り替えタイミングの説明図
【符号の説明】
１    設定手段、
２    映像入力手段、
３    第１の遅延手段、
４    第１の切換手段、
５    圧縮手段、
６    記録再生手段、
７    伸長手段、
８    第２の遅延手段、
９    第２の切換手段、
１０    映像出力手段
【図１】
0003640521.tif 000002
【図２】
0003640521.tif 000003
【図３】
0003640521.tif 000004
【図４】
0003640521.tif 000005